(57)【特許請求の範囲】
【請求項１】
電子光学部品を測定対象とする測定用ソケットであって、
前記電子光学部品を収容する凹部を有するベースと、
前記ベースに被せられるカバーと、
前記電子光学部品を基準壁に押し当てるための押圧部材と、
前記押圧部材の動作を開始するタイミングを調整するタイミング調整部材と、
を備え、
前記電子光学部品が前記凹部に収容された状態において、前記カバーが閉じる動作に基づいて前記タイミング調整部材によって前記押圧部材が押圧され、前記電子光学部品が前記基準壁に押し当てられ、
前記カバーは、前記ベースに対して回動可能に支持され、
前記タイミング調整部材は前記カバーの回動軸に設けられた偏心カムを有し、前記カバーが閉じる動作に同期する前記偏心カムの動作によって前記押圧部材が押圧される、ことを特徴とする測定用ソケット。
【請求項２】
電子光学部品を測定対象とする測定用ソケットであって、
前記電子光学部品を収容する凹部を有するベースと、
前記ベースに被せられるカバーと、
前記電子光学部品を基準壁に押し当てるための押圧部材と、
前記押圧部材の動作を開始するタイミングを調整するタイミング調整部材と、
を備え、
前記電子光学部品が前記凹部に収容された状態において、前記カバーが閉じる動作に基づいて前記タイミング調整部材によって前記押圧部材が押圧され、前記電子光学部品が前記基準壁に押し当てられ、
前記ベースと前記カバーとの間に設けられ前記ベースに対して回動可能に支持されたセンターカバーをさらに備え、
前記タイミング調整部材は前記センターカバーの回動軸に設けられた偏心カムを有し、前記センターカバーが閉じる動作に同期する前記偏心カムの動作によって前記押圧部材が押圧される、ことを特徴とする測定用ソケット。
【請求項３】
電子光学部品を測定対象とする測定用ソケットであって、
前記電子光学部品を収容する凹部を有するベースと、
前記ベースに被せられるカバーと、
前記電子光学部品を基準壁に押し当てるための押圧部材と、
前記押圧部材の動作を開始するタイミングを調整するタイミング調整部材と、
を備え、
前記電子光学部品が前記凹部に収容された状態において、前記カバーが閉じる動作に基づいて前記タイミング調整部材によって前記押圧部材が押圧され、前記電子光学部品が前記基準壁に押し当てられ、
前記ベースに対して回動可能に支持された前記カバーと、前記ベースと前記カバーとの間に設けられたセンターカバーをさらに備え、
前記押圧部材は前記センターカバーに設けられる、ことを特徴とする測定用ソケット。
【請求項４】
前記タイミング調整部材は前記カバーに設けられる、請求項１から請求項３のいずれか１項に記載の測定用ソケット。
【発明の詳細な説明】
【技術分野】
【０００１】
本発明は、電子光学部品の導通検査や特性測定などを行う際に用いられる測定用ソケットに関する。
【背景技術】
【０００２】
従来、ＩＣ等の電子部品の電気的な測定を行う際に用いられる測定用ソケット（以下、単に「ソケット」とも言う。）として、電子部品を一方向に押圧して位置決めするソケットが開示されている。例えば、特許文献１では、ＩＣパッケージの表面を押圧して位置決めを行う半導体装置用ソケットが開示される。
【０００３】
また、特許文献２には、ソケットカバーの電気部品を押圧する押圧動作に伴って操作され、収容部に収容された電気部品の位置決め部と反対側の隅角部にて直交する側面にそれぞれ点接触し、電気部品を位置決め部に対して片寄せする片寄せ手段を備えた電気部品用ソケットが開示される。
【０００４】
また、特許文献３には、ソケット本体に、電気部品が押圧部材で押圧される前に、載置部の周縁部の一部に設けられた固定ガイド部に当接される電気部品の側面と反対側の側面を固定ガイド部の方向に押し、電気部品を固定ガイド部に当接させて所定の載置位置に位置決めする手段を備えた電気部品用ソケットが開示される。
【先行技術文献】
【特許文献】
【０００５】
【特許文献１】特開２０１１−０２３１６４号公報
【特許文献２】特開２００５−０６１９４８号公報
【特許文献３】特開２００４−２９６１５５号公報
【発明の概要】
【発明が解決しようとする課題】
【０００６】
しかしながら、電子光学部品の測定においては、電気的な測定とともに光学的な測定も行う必要があることから、測定用ソケットには、電子光学部品に設けられたコネクタとの的確なコンタクトと、光学軸の正確な位置合わせとの両立が求められる。特に、フレキシブル基板に電子部品およびコネクタが接続されている電子光学部品では、フレキシブル基板の弾性力、曲がり、捩れなどによって電子部品やコネクタが浮き上がって配置されることがある。電子光学部品が浮き上がったままカバーを閉めると、導通不良の原因となる。また、電子光学部品を押圧して基準位置に合わせる場合、押圧の仕方によっては光学軸の傾きや回転が発生することもあり、電子光学部品の押圧の重要性が高まっている。
【０００７】
本発明は、電子光学部品を正確に位置決めして確実な導通および光軸合わせを行うことができる測定用ソケットを提供することを目的とする。
【課題を解決するための手段】
【０００８】
上記課題を解決するため、本発明の一態様は、電子光学部品を測定対象とする測定用ソケットであって、電子光学部品を収容する凹部を有するベースと、ベースに被せられるカバーと、電子光学部品を基準壁に押し当てるための押圧部材と、押圧部材の動作を開始するタイミングを調整するタイミング調整部材と、を備え、電子光学部品が凹部に収容された状態において、カバーが閉じる動作に基づいてタイミング調整部材によって押圧部材が押圧され、電子光学部品が基準壁に押し当てられる測定用ソケットである。
【０００９】
このような構成によれば、タイミング調整部材を用いることにより、電子光学部品を基準壁に押し当てるタイミングを任意に調整できる。例えば、電子光学部品に設けられて電気的な接触を行うためのコネクタと測定用ソケットのコネクタガイドとの嵌合タイミングとの関係で、電子光学部品の基準壁への押し当てタイミングを任意に調整できる。また、例えば、コネクタとコネクタガイドとが嵌合した後に電子光学部品を基準壁へ押し当てたい場合には、タイミング調整部材による押圧部材の動作開始を遅くすればよい。
【００１０】
上記測定用ソケットにおいて、押圧部材は、タイミング調整部材と接触する第１部材と、電子光学部品と接触する第２部材とを備え、第１部材と第２部材との間に位置する付勢手段を有していてもよい。このような付勢手段を介することによって、カバーの動作に起因する押圧部材の押圧力を安定させることができ、精密部品である電子光学部品への押圧部材の接触が安定化される。
【００１１】
上記測定用ソケットにおいて、タイミング調整部材はカバーに設けられていてもよい。これにより、タイミング調整部材をベースに配置しなくてもよいため、ベースの配置自由度が高まる。
【００１２】
上記測定用ソケットにおいて、カバーは、ベースに対して回動可能に支持され、タイミング調整部材はカバーの回動軸に設けられた偏心カムを有し、カバーが閉じる動作に同期する偏心カムの動作によって押圧部材が押圧されるようになっていてもよい。このように、タイミング調整部材として偏心カムを用いることにより、装置構成の小型化を図ることができる。
【００１３】
上記測定用ソケットにおいて、ベースとカバーとの間に設けられベースに対して回動可能に支持されたセンターカバーをさらに備え、タイミング調整部材はセンターカバーの回動軸に設けられた偏心カムを有し、センターカバーが閉じる動作に同期する偏心カムの動作によって押圧部材が押圧されるようになっていてもよい。これにより、センターカバーの動作に連動して偏心カムを動作させて電子光学部品を押圧することができる。
【００１４】
上記測定用ソケットにおいて、ベースに対して回動可能に支持されたカバーと、ベースとカバーとの間に設けられたセンターカバーをさらに備え、押圧部材はセンターカバーに設けられていてもよい。これにより、押圧部材の構造をベースに配置しなくてもよいため、ベースのレイアウトの自由度を高めることができる。特に、電子光学部品とコネクタとが近接する場合には、基準壁の位置によっては、押圧部材をベース側に配置することが困難な場合もある。
【発明の効果】
【００１５】
本発明によれば、電子光学部品を正確に位置決めして確実な導通および光軸合わせを行うことができる測定用ソケットを提供することが可能になる。
【図面の簡単な説明】
【００１６】
【図１】第１実施形態に係る測定用ソケットを例示する斜視図である。
【図２】測定対象の電子光学部品を例示する斜視図である。
【図３】第１実施形態に係る測定用ソケットの動作を説明する模式図である。
【図４】第２実施形態に係る測定用ソケットを例示する斜視図である。
【図５】測定対象の電子光学部品を例示する斜視図である。
【図６】第２実施形態に係る測定用ソケットの動作を説明する模式図である。
【図７】第３実施形態に係る測定用ソケットを例示する斜視図である。
【図８】第３実施形態に係る測定用ソケットの動作を説明する模式図である。
【図９】第４実施形態に係る測定用ソケットを例示する斜視図である。
【図１０】第４実施形態に係る測定用ソケットの動作を説明する模式図である。
【図１１】第５実施形態に係る測定用ソケットを例示する斜視図である。
【図１２】第６実施形態に係る測定用ソケットを例示する斜視図である。
【図１３】第７実施形態に係る測定用ソケットを例示する斜視図である。
【図１４】押圧部材の拡大斜視図である。
【図１５】（ａ）から（ｃ）は、第７実施形態に係る測定用ソケットの動作を説明する模式図である。
【図１６】本実施形態に係るコンタクト装置を例示する模式図である。
【発明を実施するための形態】
【００１７】
以下、本発明の実施形態を図面に基づいて説明する。なお、以下の説明では、同一の部材には同一の符号を付し、一度説明した部材については適宜その説明を省略する。
【００１８】
（第１実施形態）
図１は、第１実施形態に係る測定用ソケットを例示する斜視図である。
図２は、測定対象の電子光学部品を例示する斜視図である。
図３は、第１実施形態に係る測定用ソケットの動作を説明する模式図である。なお、図３では、説明の便宜上、ベース１０内に組み込まれた構成を実線で表している。
【００１９】
第１実施形態に係る測定用ソケット１Ａは、電子光学部品１００の電気的な測定および光学的な測定を行う際に用いられるソケットである。測定用ソケット１Ａは、測定対象となる電子光学部品１００を搭載して、電子光学部品１００との電気的な接続および光軸合わせを行う。
【００２０】
本実施形態では、測定対象となる電子光学部品１００として、フレキシブル基板１０２に電子部品１０１およびコネクタ１０３が接続されたものが適用される。フレキシブル基板１０２には配線パターンが形成され、電子部品１０１とコネクタ１０３との間の通電がなされる。したがって、本実施形態の測定用ソケット１Ａでは、後述するコンタクトピン７１をコネクタ１０３の端子と接触させることによって、電子部品１０１に対する電気的な導通を得ることができる。また、電子部品１０１には受光素子やレンズなどの光学要素が設けられる。測定用ソケット１Ａでは、電子部品１０１の筐体１０１１等を基準壁Ｗに押し当てることで位置決めし、光学要素の光軸合わせを行うことができる。すなわち、測定用ソケット１Ａは、測定対象となる電子光学部品１００に対する電気的な導通と、光学的な位置合わせ（光軸合わせ）との両立を図るものである。
【００２１】
本実施形態に係る測定用ソケット１Ａは、ベース１０と、第１カバー２０と、押圧部材３０と、タイミング調整部材４０とを備える。なお、以下の説明において、ベース１０における電子光学部品１００を搭載する面と直交する方向をＺ方向、Ｚ方向と直交する方向の１つをＸ方向、Ｚ方向およびＸ方向と直交する方向をＹ方向ということにする。
【００２２】
ベース１０は、電子光学部品１００を搭載する凹部１１を有する。凹部１１は、電子部品１０１およびフレキシブル基板１０２の配置位置を決めるためのガイドの役目を果たす。凹部１１の開口側には、上に広がるテーパ部が設けられ、テーパ部の下方にはストレート部が設けられている。凹部１１に載置された電子光学部品１００はテーパ部で呼び込まれて、ストレート部に収容される。
【００２３】
ベース１０には、コネクタ１０３をガイドするガイド部７０が設けられる。ガイド部７０の内側にはコンタクトピン７１が設けられ、コネクタ１０３がガイド部７０に嵌め込まれた状態でコンタクトピン７１がコネクタ１０３の端子と接触することになる。なお、ガイド部７０およびコンタクトピン７１は第１カバー２０側に設けられていてもよい。
【００２４】
第１カバー２０は、ベース１０に対して回動可能に取り付けられる。本実施形態では、ベース１０の一端に設けられたヒンジ５０を介して第１カバー２０が取り付けられる。第１カバー２０は、ヒンジ５０の軸５５を中心として開閉動作可能に設けられる。
【００２５】
測定用ソケット１Ａの例えば第１カバー２０にはラッチ６０が設けられる。第１カバー２０を閉じた状態でラッチ６０をベース１０の爪１６に引っ掛けることで、第１カバー２０を閉じた状態が維持される。第１カバー２０は、ヒンジ５０の軸５５に取り付けられたバネ５６によって開く方向に付勢されている。したがって、ラッチ６０を外すことで、バネ５６の付勢力によって第１カバー２０は開くことになる。
【００２６】
押圧部材３０は、ベース１０の凹部１１に収容された電子光学部品１００を基準壁Ｗに押し当てるための部材である。測定用ソケット１Ａにおいては、押圧部材３０はベース１０に組み込まれている。押圧部材３０は、電子光学部品１００における電子部品１０１の例えば筐体１０１１に接触して電子部品１０１を所定方向に押圧する。
【００２７】
押圧部材３０は１つでもよいし、複数設けられていてもよい。測定用ソケット１Ａでは、２つの押圧部材３０Ａ、３０Ｂが設けられる。各押圧部材３０Ａ、３０Ｂは互いに異なる２方向へ筐体１０１１を押圧して電子部品１０１を基準壁Ｗに押し当てるようになっている。すなわち、押圧部材３０Ａは平面視で矩形の筐体１０１１の一側面をＹ方向に押圧し、押圧部材３０Ｂは筐体１０１１の一側面と直交する他側面をＸ方向に押圧する。押圧部材３０Ａ、３０Ｂを区別せず説明するときは押圧部材３０と称することにする。
【００２８】
タイミング調整部材４０は、押圧部材３０の動作を開始するタイミングを調整する部材である。測定用ソケット１Ａにおいてタイミング調整部材４０はベース１０に組み込まれている。タイミング調整部材４０は、第１カバー２０が閉じる動作に基づいて押圧部材３０を押圧し、電子光学部品１００の筐体１０１１を基準壁Ｗに押し当てるタイミングを調整する。
【００２９】
２つの押圧部材３０Ａ、３０Ｂを備える測定用ソケット１Ａでは、押圧部材３０Ａ、３０Ｂのそれぞれに対応してタイミング調整部材４０Ａ、４０Ｂが設けられる。タイミング調整部材４０Ａ、４０Ｂを区別せず説明するときはタイミング調整部材４０と称することにする。
【００３０】
タイミング調整部材４０は、ロッド４１および揺動プッシャ４２を有する。ロッド４１は一方向に進退動作するように設けられ、揺動プッシャ４２の一端を押す。揺動プッシャ４２は軸４２ａを中心に揺動することでロッド４１から伝達される力の方向を変換する。ロッド４１によって揺動プッシャ４２の一端が押されると、揺動プッシャ４２の揺動動作によって押圧部材３０が電子部品１０１を押圧するように動作する。
【００３１】
例えば、タイミング調整部材４０Ａにおいては、ロッド４１が一方向に押されることで揺動プッシャ４２によってその方向を９０°変換する。タイミング調整部材４０Ｂにおいては、ロッド４１が一方向に押されることで揺動プッシャ４２によってその方向を１８０°変換する。
【００３２】
ロッド４１は、ベース１０内において揺動プッシャ４２の一端の位置からラッチ６０の掛かる爪１６の側まで延在している。ロッド４１の端部４１ａはベース１０の縁１０ａから僅かに突出しており、第１カバー２０を閉じてラッチ６０が爪１６に掛かるとラッチ６０によってロッド４１の端部４１ａがベース１０内に押し込まれる。ロッド４１が押し込まれることによって揺動プッシャ４２が揺動し、押圧部材３０を押圧する。
【００３３】
押圧部材３０Ａは、他端が受け部３５１に支持されたコイルばね等の付勢手段３５によって電子光学部品１００から離れる方向に付勢される。タイミング調整部材４０Ａの揺動プッシャ４２によって押圧されることで付勢手段３５の付勢力に打ち勝って押圧部材３０Ａが電子光学部品１００の筐体１０１１を押圧する。揺動プッシャ４２の押圧が解除されると押圧部材３０Ａは付勢手段３５の付勢力によって電子光学部品１００から離れる方向に戻される。
【００３４】
押圧部材３０は、押圧部材３０Ｂのように、揺動プッシャ４２と接触する第１部材３１と、電子光学部品１００と接する第２部材３２とを有していてもよい。第１部材３１と第２部材３２との間にはコイルばね等の補助付勢手段３６が設けられる。第１部材３１はＸ方向にスライド可能に設けられ、コイルばね等の付勢手段３７によって電子光学部品１００から離れる方向に付勢される。付勢手段３７は、一方の端部が第１部材３１の一部であるスライドプレート３１２に接し、他方の端部はベース１０に対して相対位置が固定された受け部３７１に接している。
【００３５】
このような構成により、押圧部材３０Ｂは揺動プッシャ４２の揺動による力を第１部材３１で受けて、第１部材３１から補助付勢手段３６を介して第２部材３２へ伝え、第２部材３２によって電子光学部品１００を押圧する。補助付勢手段３６を介することによって、第１カバー２０の動作に起因する押圧部材３０の押圧力を安定させることができ、精密部品である電子光学部品１００への押圧部材３０の接触が安定化される。具体的には、例えば、第１カバー２０が勢いよく閉じられたことによって揺動プッシャ４２が強く揺動した場合には、第１部材３１がＸ方向の電子光学部品１００側に強い力で移動することになるが、このような場合であっても、補助付勢手段３６が第１部材３１からの力を適当に減衰させて第２部材３２に伝達するため、第２部材３２の電子光学部品１００への接触・押圧を安定化させることができる。揺動プッシャ４２の押圧が解除されると第１部材３１は付勢手段３７の付勢力によって電子光学部品１００から離れる方向に戻され、これとともに第２部材３２も電子光学部品１００から離れる。この場合も、第１部材３１と第２部材３２との間に位置する補助付勢手段３６の付勢力がなくなるまでは第２部材３２は電子光学部品１００に接触するため、電子光学部品１００の基準壁Ｗへの押し当て解除が穏やかに行われる。
【００３６】
タイミング調整部材４０によって押圧部材３０で電子光学部品１００を押圧するタイミングを調整することで、第１カバー２０の閉動作およびコネクタ１０３とガイド部７０との嵌合動作との関係で押圧部材３０の動作タイミング（押し当てのタイミング）を調整することができる。例えば、第１カバー２０を閉じてコネクタ１０３とガイド部７０との嵌合タイミングとの関係で、押し当てタイミングを任意に調整することができる。コネクタ１０３とガイド部７０とが嵌合した後に押し当てたい場合には、タイミング調整部材４０による押圧部材３０の動作開始を遅くすればよい。押圧のタイミングはロッド４１の長さ、初期位置、揺動プッシャ４２の軸から端部までの距離などによって調整される。ロッド４１の長さや初期位置を調整可能（可動式）に設けてもよい。
【００３７】
また、押圧部材３０の取付位置を調整可能（可動式）に設けてもよい。例えば、押圧部材３０Ｂにおける第１部材３１が揺動プッシャ４２に接触するコンタクトプレート３１１と付勢手段３７に接触するスライドプレート３１２とを有し、コンタクトプレート３１１とスライドプレート３１２とのＸ方向の相対位置が変更可能とされていてもよい。この相対位置を変更することにより、揺動プッシャ４２がコンタクトプレート３１１に接触するタイミングを調整することができる。あるいは、受け部３７１がベース１０とは別部材から構成され、ベース１０に対する受け部３７１の取付位置を調整できるようになっていてもよい。この取付位置を変更することにより揺動プッシャ４２と接触する前の初期状態における押圧部材３０Ｂ（第１部材３１）の位置が変更されるため、揺動プッシャ４２がコンタクトプレート３１１に接触するタイミングを調整することができる。
【００３８】
測定用ソケット１Ａによって電子光学部品１００の測定を行うには、先ず、第１カバー２０を開いた状態で、ベース１０の凹部１１に電子光学部品１００を載置する。電子光学部品１００の筐体１０１１は、凹部１１のテーパ部で呼び込まれて、ストレート部に収容される。コネクタ１０３はガイド部７０に嵌合される。第１カバー２０が開いた状態では、押圧部材３０は電子光学部品１００の筐体１０１１から離れている。
【００３９】
次に、第１カバー２０を閉じる。第１カバー２０を閉じるとラッチ６０が爪１６に掛かる前に第１カバー２０によってコネクタ１０３が押さえられる。例えば、第１カバー２０におけるコネクタ１０３と対応する位置には凸部２３が設けられており、第１カバー２０を閉じることで凸部２３がコネクタ１０３をＺ方向に押圧し、コネクタ１０３をガイド部７０に嵌合させる。これにより、ガイド部７０内のコンタクトピン７１がコネクタ１０３の端子と接触する状態となる。
【００４０】
さらに第１カバー２０を閉じてラッチ６０が爪１６に掛かるタイミングでラッチ６０によってロッド４１が押し込まれる。ロッド４１の押し込みによって揺動プッシャ４２が動作して押圧部材３０を押圧する。測定用ソケット１Ａでは、２つの押圧部材３０Ａ、３０Ｂによって電子光学部品１００の筐体１０１１を２方向（Ｘ、Ｙ方向）に押圧し、筐体１０１１が基準壁Ｗに押し当てられる。
【００４１】
筐体１０１１が押圧部材３０によって押圧される段階では、コネクタ１０３はガイド部７０に嵌合しておりコネクタ１０３の端子とコンタクトピン７１との接触（電気的導通）は完了している。この後で押圧部材３０によって筐体１０１１が基準壁Ｗに押し当てられることで、コンタクトピン７１とコネクタ１０３の端子との接触を維持した状態で光軸が正確に合わせられる。電子光学部品１００の電気的導通および光軸の正確な合わせが行われた状態でラッチ６０が爪１６に掛かって第１カバー２０がベース１０に固定される。第１カバー２０を閉じてベース１０に固定された状態で、測定用ソケット１Ａを用いて電子光学部品１００の電気的および光学的な測定が行われる。
【００４２】
測定用ソケット１Ａでは、第１カバー２０を閉じてコネクタ１０３がガイド部７０に嵌合した際、電子部品１０１の筐体１０１１の位置が正確に定まっていない場合でも、コネクタ１０３とコンタクトピン７１との接触の後で押圧部材３０によって筐体１０１１が基準壁Ｗに押し当てられる。特に、フレキシブル基板１０２が固い場合、コネクタ１０３の位置が固定されることでフレキシブル基板１０２の曲がりや捩れなどで電子部品１０１の位置ずれや浮きが発生しやすい。このように電子部品１０１の位置ずれが発生していても、押圧部材３０によって筐体１０１１を押圧することでの電子部品１０１の位置を正確に決めることができる。
【００４３】
一方、コネクタ１０３とガイド部７０とが確実に嵌合する前に押圧部材３０による押圧が始まるとコネクタ１０３の端子とコンタクトピン７１との確実な接触の妨げとなる。また、第１カバー２０を閉じる際にフレキシブル基板１０２を押さえる動作との関係から、フレキシブル基板１０２の押さえが完了する前に押圧部材３０で筐体１０１１を押圧して電子部品１０１の光軸を合わせておくことが好ましい。測定用ソケット１Ａでは、タイミング調整部材４０によって第１カバー２０の動作と連動して押圧部材３０による電子光学部品１００の押圧のタイミングを任意に設定でき、電子部品１０１との電気的接続と、光学的な軸合わせとの両立を図ることができる。
【００４４】
（第２実施形態）
図４は、第２実施形態に係る測定用ソケットを例示する斜視図である。
図５は、測定対象の電子光学部品を例示する斜視図である。
図６は、第２実施形態に係る測定用ソケットの動作を説明する模式図である。なお、図６では、説明の便宜上、第１カバー２０を省略した状態が表されている。
第２実施形態に測定用ソケット１Ｂは、押圧部材３０およびタイミング調整部材４０が第１カバー２０に設けられている。
【００４５】
本実施形態に係る測定用ソケット１Ｂにおいて、第１カバー２０はベース１０に対して回動可能に取り付けられる。測定対象となる電子光学部品１００として、フレキシブル基板１０２に電子部品１０１およびコネクタ１０３が接続されたものが適用される。フレキシブル基板１０２は途中で基板面方向に屈曲する部分と基板高さ（厚さ）方向に屈曲する部分とを有している。
【００４６】
このような電子光学部品１００を測定対象とした測定用ソケット１Ｂにおいては、ベース１０のガイド部７０は第１カバー２０のヒンジ５０側に配置され、凹部１１はヒンジ５０とは反対側（ラッチ６０側）に配置される。ベース１０に電子光学部品１００を載置すると、フレキシブル基板１０２の屈曲によってコネクタ１０３は電子部品１０１よりも高い位置（Ｚ方向にベース１０から離れる位置）に配置される。したがって、第１カバー２０を閉じると、第１カバー２０に設けられた押圧部材３０が電子部品１０１と接触する前に第１カバー２０がコネクタ１０３と接触してガイド部７０へ嵌合させることができる。
【００４７】
第１カバー２０側に設けられたタイミング調整部材４０は第１カバー２０に沿って進退可能なロッド４１を有する。ロッド４１の端部４１ａは第１カバー２０の縁２０ａから僅かに突出している。第１カバー２０を閉じてラッチ６０が爪１６に掛かるタイミングでラッチ６０がロッド４１の端部４１ａに当接し、ロッド４１を押し込むようになる。ロッド４１が押し込まれると押圧部材３０が電子部品１０１の筐体１０１１を押圧することになる。
【００４８】
タイミング調整部材４０のロッド４１はベースプレート４３に対して進退可能に取り付けられる。このベースプレート４３は、第１カバー２０に取り付けられる。ベースプレート４３の第１カバー２０に対する取付位置は調整可能となっており、ベースプレート４３の取付位置の調整によってロッド４１を介して押圧部材３０を電子部品１０１の筐体１０１１に当接させるまでのタイミングを調整することができる。
【００４９】
測定用ソケット１Ｂにおいて、第１カバー２０を閉じて筐体１０１１が押圧部材３０によって押圧される段階では、コネクタ１０３はガイド部７０に嵌合しており、第１カバー２０に設けられた凸部２３によって押圧されることでコネクタ１０３の端子とコンタクトピン７１との接触（電気的導通）は完了している。この後で押圧部材３０によって筐体１０１１が基準壁Ｗに押し当てられることで光軸が正確に合わせられる。電子光学部品１００の電気的導通および光軸の正確な合わせが行われた状態でラッチ６０が爪１６に掛かって第１カバー２０がベース１０に固定される。第１カバー２０を閉じてベース１０に固定された状態で、測定用ソケット１Ｂを用いて電子光学部品１００の電気的および光学的な測定が行われる。
【００５０】
測定用ソケット１Ｂでは、タイミング調整部材４０が第１カバー２０側に設けられ、ベース１０側に配置しなくてもよいため、ベース１０の構成が簡素化され、ベース１０における電子光学部品１００の配置自由度および設計自由度が高まる。
【００５１】
（第３実施形態）
図７は、第３実施形態に係る測定用ソケットを例示する斜視図である。
図８は、第３実施形態に係る測定用ソケットの動作を説明する模式図である。
第３実施形態に係る測定用ソケット１Ｃは、ベース１０と第１カバー２０との間に第２カバー２５（センターカバー）が設けられる。測定用ソケット１Ｃにおいては、押圧部材３０が第２カバー２５に設けられる。押圧部材３０は電子部品１０１の筐体１０１１の隅部を斜めに押圧するように設けられる。
【００５２】
タイミング調整部材４０は、第１カバー２０側に設けられる突出部４４と、第２カバー２５側に設けられるリンク部４６とを有する。第１カバー２０および第２カバー２５を閉じる際、第１カバー２０側の突出部４４が第２カバー２５側のリンク部４６の端部に当接してリンク部４６を押すことになる。リンク部４６が押されることで押圧部材３０が延出して筐体１０１１を押圧することになる。
【００５３】
タイミング調整部材４０では、第１カバー２０に対する突出部４４の取付位置が調整可能となっている。これにより、突出部４４とリンク部４６との位置関係が調整され、第１カバー２０および第２カバー２５を閉じた際の突出部４４とリンク部４６との当接のタイミングが変わり、押圧部材３０による筐体１０１１の押圧タイミングを調整できることになる。
【００５４】
また、測定用ソケット１Ｃにおいては、第２カバー２５に窓部２５ｈが設けられており、窓部２５ｈ越しに第１カバー２０に設けられた凸部２３がベース１０のガイド部７０側に突出するようになっている。これにより、第１カバー２０および第２カバー２５を閉じる際、押圧部材３０で筐体１０１１を押圧する前に、窓部２５ｈからガイド部７０側に突出した凸部２３がガイド部７０に載置されたコネクタ１０３を押圧し嵌合させる。その後、押圧部材３０が延出して筐体１０１１を押圧し基準壁Ｗへ押し付けるようになる。
【００５５】
測定用ソケット１Ｃでは、第２カバー２５によってフレキシブル基板１０２を押さえることができ、電子光学部品１００をベース１０に載置した際のフレキシブル基板１０２の浮きを効果的に抑制することができる。
【００５６】
測定用ソケット１Ｃにおけるタイミング調整部材４０は、第１カバー２０および第２カバー２５の閉動作と連動し、第１カバー２０の閉動作に伴うコネクタ１０３のガイド部７０への嵌合のタイミング、および第２カバー２５によるフレキシブル基板１０２の押圧のタイミングとの関係で、電子部品１０１の押圧のタイミングを調整することができる。また、第２カバー２５に押圧部材３０およびタイミング調整部材４０の一部が設けられることで、第１カバー２０やベース１０の構成を簡素化することができる。
【００５７】
（第４実施形態）
図９は、第４実施形態に係る測定用ソケットを例示する斜視図である。
図１０は、第４実施形態に係る測定用ソケットの動作を説明する模式図である。
第４実施形態に係る測定用ソケット１Ｄは、第３実施形態に係る測定用ソケット１Ｃと同様、ベース１０と第１カバー２０との間に第２カバー２５（センターカバー）が設けられ、押圧部材３０が第２カバー２５に設けられる。
【００５８】
測定用ソケット１Ｄでは、第１カバー２０に設けられた突出部４４がローラ状になっている。ローラ状の突出部４４によって、第１カバー２０を閉じた際の突出部４４とリンク部４６との当たりが滑らかになり、低抵抗で第１カバー２０および第２カバー２５を閉じることが可能となる。
【００５９】
（第５実施形態）
図１１は、第５実施形態に係る測定用ソケットを例示する斜視図である。
図５実施形態に係る測定用ソケット１Ｅでは、押圧部材３０およびタイミング調整部材４０がプッシュユニット３００として一体構成となっている。プッシュユニット３００はベース１０に取り付けられている。
【００６０】
プッシュユニット３００は筐体３０１を有し、筐体３０１内に押圧部材３０およびタイミング調整部材４０が組み込まれている。プッシュユニット３００の筐体３０１からはタイミング調整部材４０の一部であるプッシュボタン４５が突出している。プッシュボタン４５を押すことで筐体３０１内のリンク（タイミング調整部材４０の一部）が動作して押圧部材３０が電子光学部品１００側へ突出し、筐体１０１１を押圧して基準壁Ｗに押し当てるようになる。
【００６１】
プッシュユニット３００におけるプッシュボタン４５の高さ（Ｚ方向の位置）を調整するか、または第１カバー２０側のプッシュボタン４５と当接する部分の高さ（厚さ）を調整することで、第１カバー２０を閉じた際のプッシュボタン４５との当接のタイミングが調整される。これにより、押圧部材３０による筐体１０１１の押圧タイミングを調整できることになる。また、押圧部材３０およびタイミング調整部材４０がプッシュユニット３００になっていることで、プッシュユニット３００の単位で交換や、他の測定用ソケットへの転用が容易となって、測定用ソケットの設計自由度を高めることができる。
【００６２】
（第６実施形態）
図１２は、第６実施形態に係る測定用ソケットを例示する斜視図である。
第６実施形態に係る測定用ソケット１Ｆでは、第２カバー２５に２つの押圧部材３０Ａ、３０Ｂが設けられる。各押圧部材３０Ａ、３０Ｂは互い異なる２方向（例えば、Ｘ方向およびＹ方向）へ筐体１０１１を押圧して電子部品１０１を基準壁Ｗに押し当てるようになっている。
【００６３】
押圧部材３０Ａ、３０Ｂのそれぞれに対応したタイミング調整部材４０Ａ、４０Ｂはベース１０側に設けられる。これにより、第２カバー２５が閉じることでタイミング調整部材４０Ａ、４０Ｂと押圧部材３０Ａ、３０Ｂとが当接し、タイミング調整部材４０Ａ、４０Ｂに設けられたテーパ壁に沿って押圧部材３０Ａ、３０Ｂの後端部が押され、押圧部材３０Ａ、３０Ｂがスライドしながら筐体１０１１を押圧していくことになる。
【００６４】
測定用ソケット１Ｆでは、ベース１０に対するタイミング調整部材４０Ａ、４０Ｂの取付位置を調整することで、タイミング調整部材４０Ａ、４０Ｂと押圧部材３０Ａ、３０Ｂとの当接のタイミングを変更することができ、第１カバー２０の閉動作に伴うコネクタ１０３のガイド部７０への嵌合のタイミング、および第２カバー２５によるフレキシブル基板１０２の押圧のタイミングとの関係で、電子部品１０１の押圧のタイミングを調整することができる。
【００６５】
（第７実施形態）
図１３は、第７実施形態に係る測定用ソケットを例示する斜視図である。
図１４は、押圧部材の拡大斜視図である。
図１５（ａ）から（ｃ）は、第７実施形態に係る測定用ソケットの動作を説明する模式図である。
本実施形態に係る測定用ソケット１Ｇにおいて、第１カバー２０はベース１０に対して回動可能に取り付けられる。タイミング調整部材４０は第１カバー２０の回動の軸５５に設けられた偏心カム４７と、偏心カム４７によって移動可能に設けられたスライド部４８とを有する。また、押圧部材３０はベース１０側に設けられ、スライド部４８と接触する第１部材３１と、電子光学部品１００と接触する第２部材３２とを有する。第１部材３１と第２部材３２との間には補助付勢手段３６が設けられ、第１部材３１を電子光学部品１００から離れる方向に付勢する付勢手段３７が設けられる。
【００６６】
スライド部４８は付勢手段３７によって偏心カム４７側に付勢されている。また、スライド部４８には、偏心カム４７と当接する第１ローラ４８１と、第１部材３１と当接する第２ローラ４８２とが設けられる。
【００６７】
測定用ソケット１Ｇによって電子光学部品１００の測定を行うには、先ず、図１５（ａ）に示すように第１カバー２０を開いた状態で、ベース１０の凹部１１に電子光学部品１００を載置する。電子光学部品１００の筐体１０１１は、凹部１１のテーパ部で呼び込まれて、ストレート部に収容される。第１カバー２０が開いた状態では、スライド部４８は偏心カム４７とは当接せず、付勢手段３７によってヒンジ５０側に寄っている。これにより、押圧部材３０の第２部材３２は電子光学部品１００の筐体１０１１から離れている。
【００６８】
次に、図１５（ｂ）に示すように、第１カバー２０を閉じる。第１カバー２０を閉じると偏心カム４７が第２ローラ４８２と当接しスライド部４８を押圧する。スライド部４８が押圧されることで第１ローラ４８１によって押圧部材３０の第１部材３１が押され、補助付勢手段３６を介して第２部材３２が押される。これにより第２部材３２が電子部品１０１の筐体１０１１を押圧し、筐体１０１１を基準壁Ｗに押し当てる。これにより電子部品１０１の位置決めが行われる。
【００６９】
さらに、図１５（ｃ）に示すように第１カバー２０を閉じていくと、第１カバー２０によって電子光学部品１００がＺ方向に押圧される。これにより、電子光学部品１００の裏面に設けられたパッド（図示せず）とコンタクトピン７１とが接触し、電気的な接続が行われる。
【００７０】
測定用ソケット１Ｇに設けられた偏心カム４７を用いることで、偏心カム４７のプロファイルの変更によって第１カバー２０を閉じる動作と押圧部材３０による電子光学部品１００の押圧のタイミング、押圧力の変化を任意に設定可能となる。また、タイミング調整部材４０として偏心カム４７を用いることにより、装置構成の小型化を図ることができる。
【００７１】
なお、測定用ソケット１Ｇにおいて、第２カバー２５を備えており第２カバー２５の回動軸に偏心カム４７を設けるようにしてもよい。これにより、第２カバー２５の動作に連動して偏心カム４７を動作させて押圧部材３０により電子光学部品１００を押圧することができる。また、測定用ソケット１Ｇの測定対象となる電子光学部品１００は、電子部品１０１、フレキシブル基板１０２およびコネクタ１０３を備えた構成であってもよい。
【００７２】
（コンタクト装置）
図１６は、本実施形態に係るコンタクト装置を例示する模式図である。
本実施形態に係るコンタクト装置５００は、先に説明した測定用ソケット１Ａ〜１Ｇと同様に、ベース１０、第１カバー２０、押圧部材３０およびタイミング調整部材４０を備える。コンタクト装置では、第１カバー２０がベース１０に対して上下動するよう構成される。
【００７３】
ベース１０には、電子光学部品１００を載置する凹部１１が設けられる。ベース１０には、例えば４箇所に支柱１５が設けられている。第１カバー２０は、この支柱１５によって支持され、支柱１５に沿って上下動可能に設けられる。支柱１５にはバネ１７が設けられており、第１カバー２０を上方に付勢している。第１カバー２０は、図示しない駆動機構によってバネ１７の付勢力を超えた力で押し込まれることにより、ベース１０の上に被せられる。
【００７４】
第１カバー２０を下降することでガイド部７０にコネクタ１０３が嵌合し、コンタクトピン７１とコネクタ１０３の端子とが接触するようになる。この第１カバー２０の下降の動作に連動して、タイミング調整部材４０を介して押圧部材３０が動作し、押圧部材３０によって電子部品１０１の筐体１０１１を押圧して基準壁Ｗに押し当てる。これにより、電子光学部品１００の電気的接続と、光学的な軸合わせとの両立を図ることができる。この際、タイミング調整部材４０によって第１カバー２０の動作と連動して押圧部材３０による電子光学部品１００の押圧のタイミングを任意に設定することができる。
【００７５】
図１６に示すコンタクト装置５００の例では、第１カバー２０側に押圧部材３０およびタイミング調整部材４０が設けられているが、ベース１０側に押圧部材３０およびタイミング調整部材４０を設けてもよい。
【００７６】
以上説明したように、実施形態に係る測定用ソケット１Ａ〜１Ｇによれば、電子光学部品１００を正確に位置決めして確実な導通および光軸合わせを行うことが可能となる。
【００７７】
なお、上記に本実施形態およびその具体例を説明したが、本発明はこれらの例に限定されるものではない。例えば、測定対象となる電子光学部品１００として、フレキシブル基板１０２に電子部品１０１およびコネクタ１０３が接続されたものを例としたが、電子光学部品１００の構成は、これに限定されない。また、前述の実施形態またはその具体例に対して、当業者が適宜、構成要素の追加、削除、設計変更を行ったものや、実施形態の特徴を適宜組み合わせたものも、本発明の要旨を備えている限り、本発明の範囲に包含される。
【符号の説明】
【００７８】
１Ａ，１Ｂ，１Ｃ，１Ｄ，１Ｅ，１Ｆ，１Ｇ…測定用ソケット
１０…ベース
１０ａ…縁
１１…凹部
１５…支柱
１６…爪
１７…バネ
２０…第１カバー
２０ａ…縁
２３…凸部
２５…第２カバー
２５ｈ…窓部
３０…押圧部材
３０Ａ，３０Ｂ…押圧部材
３１…第１部材
３２…第２部材
３５，３７…付勢手段
３６…補助付勢手段
４０…タイミング調整部材
４０Ａ，４０Ｂ…タイミング調整部材
４１…ロッド
４１ａ…端部
４２…揺動プッシャ
４２ａ…軸
４３…ベースプレート
４４…突出部
４５…プッシュボタン
４６…リンク部
４７…偏心カム
４８…スライド部
５０…ヒンジ
５５…軸
５６…バネ
６０…ラッチ
７０…ガイド部
７１…コンタクトピン
１００…電子光学部品
１０１…電子部品
１０２…フレキシブル基板
１０３…コネクタ
３００…プッシュユニット
３０１…筐体
３１１…コンタクトプレート
３１２…スライドプレート
３５１，３７１…受け部
４８１…第１ローラ
４８２…第２ローラ
５００…コンタクト装置
１０１１…筐体
Ｗ…基準壁
【要約】
【課題】電子光学部品を正確に位置決めして確実な導通および光軸合わせを行うことができる測定用ソケットを提供すること。
【解決手段】本発明の一態様は、電子光学部品を測定対象とする測定用ソケットであって、電子光学部品を収容する凹部を有するベースと、ベースに被せられるカバーと、電子光学部品を基準壁に押し当てるための押圧部材と、押圧部材の動作を開始するタイミングを調整するタイミング調整部材と、を備え、電子光学部品が凹部に収容された状態において、カバーが閉じる動作に基づいてタイミング調整部材によって押圧部材が押圧され、電子光学部品が基準壁に押し当てられる測定用ソケットである。
【選択図】図１【図１】
0006853597.tif 000002
【図２】
0006853597.tif 000003
【図３】
0006853597.tif 000004
【図４】
0006853597.tif 000005
【図５】
0006853597.tif 000006
【図６】
0006853597.tif 000007
【図７】
0006853597.tif 000008
【図８】
0006853597.tif 000009
【図９】
0006853597.tif 000010
【図１０】
0006853597.tif 000011
【図１１】
0006853597.tif 000012
【図１２】
0006853597.tif 000013
【図１３】
0006853597.tif 000014
【図１４】
0006853597.tif 000015
【図１５】
0006853597.tif 000016
【図１６】
0006853597.tif 000017